(57)【特許請求の範囲】
【請求項１】
工具と係合するヘッド部と、部材と螺合するタップ部と、より構成されるタッピンネジを部材に螺合させるときに使用する取付補助具であって、
前記タップ部が螺合される部材側に保持可能であり、前記タップ部が当該部材と螺合するための開口部を有するベース部材と、
前記ヘッド部の外径とほぼ同等の内径を有するとともにタッピンネジを収容することができる両端が開放された中空孔を持ち、その一端が前記ベース部材の開口部と中空孔が連通するように取付け可能な構造を有するタッピンネジ保持部材と、
より構成されたタッピンネジ取付補助具。
【請求項２】
前記ベース部材は前記開口部に前記タッピンネジ保持部材を装着するための係合部を有するとともに、前記タッピンネジ保持部の一端には前記ベース部材と係合部を有することを特徴とする請求項１記載のタッピンネジ取付補助具。
【請求項３】
前記タッピンネジ保持部は筒状であり、且つ少なくともタッピンネジ保持部の一部が透明部材で構成されていることを特徴とする請求項1乃至は請求項２記載のタッピンネジ取付補助具。
【請求項４】
前記ベース部材および前記タッピンネジ保持部材の何れか一方が磁石材料から構成されていることを特徴とする請求項1乃至請求項３記載のタッピンネジ取付補助具。
【請求項５】
工具と係合するヘッド部と、部材と螺合するタップ部と、より構成されるタッピンネジを部材に螺合させるときに、
前記タップ部が螺合される部材側に保持可能であり、前記タップ部が当該部材と螺合するための開口部を有するベース部材と、前記ヘッド部の外径とほぼ同等の内径を有するとともにタッピンネジを収容することができる両端が開放された中空孔を持ち、その一端が前記ベース部材の開口部と中空孔が連通するように取付け可能な構造を有するタッピンネジ保持部材とより構成されたタッピンネジ取付補助具を、タッピンネジを螺合させる位置に装着し、
前記タッピンネジ保持部材の他端よりタッピンネジをタッピンネジのタップ部側より挿入するとともに、当該タッピンネジ保持部材をガイドとしながら、当該タッピンネジ保持部材の他端より工具を挿入してタッピンネジを前記部材に螺合させることを特徴とするタッピンネジ保持方法。
【発明の詳細な説明】
【技術分野】
【０００１】
本発明はタッピンネジ取付補助具およびタッピンネジ保持方法に関し、さらに詳しくは、タッピンネジを使用して機器などを取付けるときに使用するタッピンネジを案内保持するための取付補助具およびタッピンネジの保持方法に関するものである。
【背景技術】
【０００２】
近年、各種製品の組み立てにはタッピンネジが多用されている。
図５は、板金２を図示しない機器にタッピンネジ１を使用して取付ける例を説明するための図である。
【０００３】
図５に示すように、タッピンネジ１は、ドライバ３などのタッピンネジを取付けるために使用される工具が装着されるヘッド部と1ｂと機器側のねじ込まれる部分であるタップ部１ａより構成されている。タッピンネジ１は周知のとおり雌ネジが切られていない穴に対して、雌ネジをきりながら締め込むタイプのネジであるため、一度固定すると緩みが生じないことや取付けを行う機器側に予め雌ネジの加工をする必要がないなどの理由から近年多用されるようになった。
【０００４】
そして図５に示すように、タッピンネジ１のタップ部１ａの先の部分を板金２の穴に挿入し、ドライバ３を使用して図示しない機器に締め込むようにして板金１を機器に取付けるようにしている。
【０００５】
このようなタッピンネジ１の螺合にあたっては、板金２などの取付対象物に対して垂直に締め込む必要があり、垂直に締め込なければ、板金２の穴を壊したり締め込みの途中で止まってしまい完全な締め込みが出来なくなって板金２を図示しない機器に所定の保持力で固定されない恐れがあった。
【特許文献１】特開平１０−８９３３９号公報
【発明の開示】
【発明が解決しようとする課題】
【０００６】
本発明の課題は、タッピンネジを安定した姿勢で保持するための取付補助具および保持方法を提供することである。
【課題を解決するための手段】
【０００７】
上記課題を解決するために、請求項１の発明のタッピンネジ取付補助具では、工具と係合するヘッド部と、部材と螺合するタップ部と、より構成されるタッピンネジを部材に螺合させるときに使用する取付補助具であって、前記タップ部が螺合される部材側に保持可能であり、前記タップ部が当該部材と螺合するための開口部を有するベース部材と、前記ヘッド部の外径とほぼ同等の内径を有するとともにタッピンネジを収容することができる両端が開放された中空孔を持ち、その一端が前記ベース部材の開口部と中空孔が連通するように取付け可能な構造を有するタッピンネジ保持部材とより構成されることを特徴とする。
【０００８】
さらに、請求項２の発明では、請求項１記載のタッピンネジ取付補助具のベース部材は開口部にタッピンネジ保持部材を装着するための係合部を有するとともに、タッピンネジ保持部の一端には前記ベース部材と係合部を有することを特徴とする。
【０００９】
さらに請求項３の発明では、請求項１乃至２の発明において、タッピンネジ保持部は筒状であり、且つ少なくともタッピンネジ保持部の一部が透明部材で構成されていることを特徴とする。
【００１０】
さらに請求項４の発明では、請求項１乃至３の発明においてベース部材およびタッピンネジ保持部材の何れか一方が磁石材料から構成されていることを特徴とする。
【００１１】
さらに請求項５の発明では、工具と係合するヘッド部と、部材と螺合するタップ部と、より構成されるタッピンネジを部材に螺合させるときに、前記タップ部が螺合される部材側に保持可能であり、前記タップ部が当該部材と螺合するための開口部を有するベース部材と、前記ヘッド部の外径とほぼ同等の内径を有するとともにタッピンネジを収容することができる両端が開放された中空孔を持ち、その一端が前記ベース部材の開口部と中空孔が連通するように取付け可能な構造を有するタッピンネジ保持部材とより構成されたタッピンネジ取付補助具を、タッピンネジを螺合させる位置に装着し、前記タッピンネジ保持部材の他端よりタッピンネジをタッピンネジのタップ部側より挿入するとともに、当該タッピンネジ保持部材をガイドとしながら、当該タッピンネジ保持部材の他端より工具を挿入してタッピンネジを前記部材に螺合させるタッピンネジ保持方法を特徴とする。
【００１２】
【発明の効果】
【００１３】
本発明の取付補助具により、タッピンネジを締め込む部材（の表面）に対して垂直にガイドすることが可能となるため、タッピンネジを容易に且つ失敗することなく締め込む（螺合させる）ことができる。
【００１４】
さらに本発明の取付補助具によれば、その構成がベース部材と保持部材が分離可能となっているため、タッピンネジの締め付けが完了した後に保持部材を取り除くことが可能となり、タッピンネジによる部材の取付け（締め付け）が終われば不要となる取付補助具の少なくとも一部を取り除くことができる。また、タッピンネジにはいろいろなサイズがあるため、ベース部材と保持部材を分離可能とすることにより、タッピンネジに対応した保持部材を選択して使用可能となる。
【００１５】
【００１６】
さらに本発明では、補助具を筒状にし、且つ樹脂などより構成して透明化することにより、その中に収容されるタッピンネジが外から容易に目視出来るようになるので、タッピンネジの取付作業が容易となる。
【００１７】
さらに、本発明では、ベース部材および／または保持部材を磁石材料で構成することにより、取付部材が強磁性体金属のような場合に、取付補助具を簡単に取付けることが出来、また取り外しも可能とする。
【００１８】
そして、本発明においては、本発明の取付補助具を使用してタッピンネジの締め付け作業を行うことにより、タッピンネジを安定した姿勢で保持することが可能となるため、締め付け作業を失敗することがなくタッピンネジの締め付けが可能となる。
【発明を実施するための最良の形態】
【００１９】
以下、本発明の実施の形態について説明する。
【００２０】
図１は、タッピンネジの取付補助具の一つの実施例を説明するものである。図において、図５で説明したものと同一の番号のものと同一のものを示す。
【００２１】
本発明の取付補助具の構成は、ベース部材４と保持部５より構成されている。この実施例においては、ベース部材４は、図１に示すようにタッピンネジ１による取付対象となる板金２に対して取付られる。このベース部材４は図示した実施例においては、板状の部材であって板金２に予め開けられている孔よりも大きな径を有する孔４ａが設けられている。
【００２２】
そしてこのベース部材２は板金２に対して例えば接着、両面テープなどの接着部材を介して取付られる。ベース部材についてはタッピンネジによる取付完了後も板金２に固定されたままとなっても良いが、そもそもタッピンネジ締め付けによる取付完了後は不要なので、取り外すことが出来るような状態で板金２に取付られていることが望ましい。
【００２３】
ベース部材４の材質としては、アクリルやプラスチックなどの樹脂または金属からなる。樹脂など構成されている場合には透明な樹脂を選択した方が作業性の面から有利である。また板金２が金属である場合の固定方法として磁石の吸着力を利用することができるので、ベース部材４を着磁可能な金属、すなわち永久磁石材料から構成することも可能である。このベース部材４を磁石より構成すれば、タッピンネジ１の取付完了後に容易に取り外しができるので便利である。
【００２４】
さらにこの実施例では図２に示すようにベース部材４の孔４の周囲には、後述する保持部材５を装着するための雌ネジ４ｂが切られている。
【００２５】
一方、保持部材５はタッピンネジ１を保持する部材であり、実施例では筒状に構成されている。筒の内径（中空部分）５ａは使用されるタッピンネジ１のヘッド部の外径に僅かのクリアランスを有する程度に設定されるのが好ましい。従って、保持部材５については使用されるタッピンネジ１のヘッド部１ｂの外径や全体の長さから、保持部材の内径５ａが決定されるとともに、保持部材５の長手方向の長さもそれに併せて適切なものを選ぶことが出来るようにしておくことが好ましい。すなわち、保持部材５は取付作業に使用されるタッピンネジ１のヘッド１ｂの外径や長さ毎に適性なものを準備しておき、選択的にこの保持部材５をベース部材４に取付けて使用することが望ましい。この場合であっても後述するように保持部材５の雄ネジ５ｂについては共通のサイズで作成しておくことで、ベース部材４は複数のタイプの保持部材５に共通に使用出来るようにすることが望ましい。
【００２６】
また、実施例における保持部材５は筒状となっているが、筒状に限定されることなく内部は中空孔部５ａが上述の同様に設けられタッピンネジが挿入されガイトとしての役目をするであれば保持部材５の外径は三角柱や四角柱でも良い。この保持部材５にはベース部材４に取付けるための雄ネジ５ｂが保持部材５の一端に設けられており、この雄ネジ５ｂをベース部材の孔４ａに設けられた雄ネジ４ｂに螺合させることにより取付ける。なお、雄ネジ５ｂが設けられている部分はベース部材４の雌ネジ４ｂと螺合することから形状が制限されるが、その他の部分については上述したように必ずしも筒状である必要はない。また、図２に示す雄ネジ５ｂ部分は使用するタッピンネジ１のサイズに依存して筒の内径５ａが変更されてもそれに依存することなく共通の外径を有するのが望ましい。
【００２７】
また保持部材５を構成する材料の材質は特に制限はないが一例としてアクリルやプラスチックなどの樹脂などで構成され、しかも透明樹脂で構成することにより、中空部５ａに挿入されるタッピンネジが保持部５の外部から目視できるので、タッピンネジ１の締め付け作業が容易となる。
【００２８】
以上説明したようにこのベース板４と保持部材５とより構成される取付補助具は、図１で示すように、板金１などのタッピンネジ１が取付られる部材に対して保持部材５の部分が垂直になるように構成されている。
【００２９】
図３には、タッピンネジの保持方法を説明する図であり、図１、図２および図５と同じ参照番号を付与したものは同じものを示す。図３に示すように、保持部材５はベース部材４により板金２に垂直に取付られ、タッピンネジ１を保持部材５のベース部材４に固定されている側と反対側の他端より挿入することによって板金５に対して垂直に維持することが出来、その状態でドライバ３などの工具を図３に示すように保持部材５の他端より挿入してタッピンネジ１の締め付け（螺合）作業を行うことより、タッピンネジは１は板金２に対して垂直状態を保ったまま締め付け（螺合）作業を行うことが出来るので、タッピンネジ１の締め付け作業が失敗なしにできる。
【００３０】
次に図４により取付補助具の他の実施例を説明する。図４における取付補助具は図１および図２で説明した取付補助具の構造からベース部材を除いたものである。
【００３１】
図４の保持部材５は、磁石材料で出来ており、板金３に磁石の磁力によって保持されるようになっている。それ以外は図１〜図３で説明したものと基本的に同じである。
【００３２】
従って、図４では保持部材５は筒状で構成されているが、図２説明したのと同様に外形状についてはそれ以外の構造でも良い。また保持部材５の板金側の開口には雄ネジなどはない。実際のタッピンネジ１の保持方法については図４と同等である。また図３の実施例においては板金３に磁石により装着する例を説明したが、それ以外の方法で装着するようにしても良い。
【００３３】
なお、上記の実施例においては、タッピンネジ１の取付先として板金２を例に説明したが、これに限られることがなく、タッピンネジ１を使用して取付や組立作業を行うあらゆる機器や装置などに適用可能である。
【図面の簡単な説明】
【００３４】
【図１】本発明のタッピンネジ取付補助具の一つの実施例を説明ずる図
【図２】本発明のタッピンネジ取付補助具の具体的な構造を示す図
【図３】本発明のタッピンネジ保持方法を説明する図
【図４】タッピンネジ取付補助具のその他の実施例を説明する図
【図５】従来のタッピンネジの取付方法を説明する図
【符号の説明】
【００３５】
１      タッピンネジ
１ａ    タップ部
１ｂ    ヘッド部
２      板金
３      ドライバ
４      ベース板
４ａ    孔
４ｂ    雌ネジ
５      保持部材
５ａ    中空孔部
５ｂ    雄ネジ
【図１】
0004911092.tif 000002
【図２】
0004911092.tif 000003
【図３】
0004911092.tif 000004
【図４】
0004911092.tif 000005
【図５】
0004911092.tif 000006